(57)【要約】【課題】そもそも枕を有しない椅子上において着座姿勢にある人間の姿勢を安定化させる機能と、そもそも枕を有するか否かを問わず、椅子上において着座姿勢または仰臥姿勢にある人間の背中とその椅子の背もたれとの間の隙間を埋めてその人間の姿勢を安定化させる機能とを１つの枕によって実現する。【解決手段】分割枕の第１部分１０と第２部分１２との結合状態におけるレイアウトを、それら第１部分と第２部分とがそれらの順に上下に重なる上下方向レイアウト（図示しない）と、第２部分と第１部分とがそれらの順に前後に並ぶ前後方向レイアウトとに変更可能とする。上下方向レイアウトにおいては、第１部分の一側面が、着座姿勢にある人間を背後から支持する機能を果たし、一方、前後方向レイアウトにおいては、第１部分の上面と第２部分の上面とが互いに共同して、着座姿勢または仰臥姿勢にある人間を背後から支持する機能を果たす。【選択図】　図２
2004081487.tif 000002
【特許請求の範囲】
【請求項１】
第１部分と第２部分とに分割されるとともに、それら第１部分と第２部分とが結合手段によって互いに結合する状態と互いに分離する状態とに切り換わる分割枕であって、
前記第１部分と第２部分との結合状態におけるレイアウトが、それら第１部分と第２部分とがそれらの順に上下に重なる上下方向レイアウトと、第２部分と第１部分とがそれらの順に前後に並ぶ前後方向レイアウトとに変更可能であり、かつ、
前記上下方向レイアウトにおいては、少なくとも前記第１部分の一側面が、着座姿勢にある人間の頭部または首部を背後から支持する機能を果たし、一方、
前記前後方向レイアウトにおいては、前記第１部分の上面と前記第２部分の上面とが互いに共同して、着座姿勢または仰臥姿勢にある人間の頭部、首部または胴体部を背後から支持する機能を果たす分割枕。
【請求項２】
前記第１部分が、前記上下方向レイアウトと前後方向レイアウトとの双方において、その第１部分を真上から見た場合に、凹みを後位置に有する状態で概してＣ字状を成している請求項１に記載の分割枕。
【請求項３】
前記第２部分が、前記上下方向レイアウトにおいてその第２部分の上側と下側と前側と後側とにそれぞれ位置する上面と下面と前側面と後側面とを有するとともに、前記上面のうち前記前側面の近傍部と前記後側面の近傍部とにそれぞれ、前記下面からの高さが高い高部と低い低部とが形成されている請求項１または２に記載の分割枕。
【請求項４】
前記高部が、前記低部と隣接し、かつ、その低部の表面に対して起き上がった表面を有する傾斜部を含み、
その傾斜部と前記低部とが互いに共同して、前記上下方向レイアウトにおいて、前記第１部分と結合する請求項３に記載の分割枕。
【発明の詳細な説明】
【０００１】
【発明の属する技術分野】
本発明は、人間を背後から支持するための枕に関し、特に、２つの部分に分割されて成る分割枕に関する。
【０００２】
【従来の技術】
例えば、理髪、美容等の理容行為や、診察、治療等の医療行為（例えば、歯科医療、耳鼻科医療等を含む）の現場においては、その行為を受ける対象である人間の姿勢を固定するために椅子（以下、「理容椅子等」と総称する）が使用される。
【０００３】
理容行為等を受けようとする人間が移動手段として車椅子を利用する場合がある。しかし、車椅子はそもそも枕を有せず、理容椅子等と同様には人間の姿勢を固定する機能を果たし得ないのが一般的である。そのため、車椅子を利用する人間が理容行為等を受けるためには、その人間が車椅子から理容椅子等に移乗しなければならず、本人にとっては苦痛であるし、介護者にとっては負担が重く、面倒である。
【０００４】
ところで、上述の理容椅子等は、人間のすべての体型に適合するものであるのが理想的であるが、現実には、適合しない場合が存在する。その一例は、高齢等が原因で背骨が湾曲した人間がそのような理容椅子等に着座して理容行為、医療行為等を受けようとする場合である。
【０００５】
この場合、背骨が湾曲した人間は、その背中と理容椅子等の背もたれとの間の隙間をなくして体を安定させるべく、無理な姿勢を強制される。そのため、人間が苦痛を感じることがあり、また、背中と背もたれとの間の隙間を十分になくすことができず、人間の体が不安定のままとされることがある。
【０００６】
人間の種々な体型や種々な要求に適合させることを課題とし、いくつかの枕が既に提案されている。
【０００７】
特開２０００−３３３８０５号公報には、枕を、仰向け状態にある人間の頭部を支持する第１部分（第２枕体）と、首部を支持する第２部分（第１枕体）とに分割するとともに、それら２部分を一つの袋カバー内に一緒に収容することにより、それら２部分を固定する技術が開示されている。この公報には、さらに、それら２部分を互いに縫合して一体化した後に枕カバー内に収容する技術も開示されている。
【０００８】
また、特開平８−４２２号公報には、枕を、仰向け状態にある人間の頭部を支持する第１部分（支え部）と、首部を支持する第２部分（首側部）とに分割するとともに、それら２部分を一つのピローケース内に一緒に収容することにより、それら２部分を固定する技術が開示されている。この公報には、さらに、第２部分の高さをピローケースの変形によって調整する技術も開示されている。
【０００９】
【発明が解決しようとする課題】
本発明者は、その研究により、そもそも枕を有しない椅子上において着座姿勢にある人間の姿勢を安定化させる機能と、そもそも枕を有するか否かを問わず、椅子等の上において着座姿勢または仰臥姿勢にある人間の背中とその椅子等との間の隙間を埋めてその人間の姿勢を安定化させる機能とを１つの枕により実現できれば、経済的にもスペース的にも好都合であるという知見を得た。
【００１０】
しかしながら、前述の２つの従来技術では、それら２つの機能を１つの枕により実現したいという要望を満たすことは不可能である。
【００１１】
このような事情を背景とし、本発明は、分割枕が分割された２部分のレイアウトを上下方向レイアウトと前後方向レイアウトとに適宜変更可能とすることにより、上述の要望を満たすことを課題としてなされたものである。
【００１２】
【課題を解決するための手段および発明の効果】
本発明によって下記の各態様が得られる。各態様は、項に区分し、各項に番号を付し、必要に応じて他の項の番号を引用する形式で記載する。これは、本明細書に記載の技術的特徴のいくつかおよびそれらの組合せのいくつかの理解を容易にするためであり、本明細書に記載の技術的特徴やそれらの組合せが以下の態様に限定されると解釈されるべきではない。
【００１３】
（１）　第１部分と第２部分とに分割されるとともに、それら第１部分と第２部分とが結合手段によって互いに結合する状態と互いに分離する状態とに切り換わる分割枕であって、
前記第１部分と第２部分との結合状態におけるレイアウトが、それら第１部分と第２部分とがそれらの順に上下に重なる上下方向レイアウトと、第２部分と第１部分とがそれらの順に前後に並ぶ前後方向レイアウトとに変更可能であり、かつ、
前記上下方向レイアウトにおいては、少なくとも前記第１部分の一側面が、着座姿勢にある人間の頭部または首部を背後から支持する機能を果たし、一方、
前記前後方向レイアウトにおいては、前記第１部分の上面と前記第２部分の上面とが互いに共同して、着座姿勢または仰臥姿勢にある人間の頭部、首部または胴体部を背後から支持する機能を果たす分割枕。
【００１４】
この分割枕は、それの第１部分と第２部分とがそれらの順に上下に重なる上下方向レイアウトにおいて、少なくとも第１部分の一側面が、着座姿勢にある人間の頭部または首部を背後から支持する機能を果たす。
【００１５】
この機能により、例えば、そもそも枕を有しない椅子上において着座姿勢にある人間の頭部または首部を安定化させることが可能となる。
【００１６】
一方、この分割枕は、第２部分と第１部分とがそれらの順に前後に並ぶ前後方向レイアウトにおいて、第１部分の上面と第２部分の上面とが互いに共同して、着座姿勢または仰臥姿勢にある人間の頭部、首部または胴体部を背後から支持する機能を果たす。
【００１７】
この機能により、例えば、椅子、ふとん、ベッドまたは床上において着座姿勢または仰臥姿勢にある人間の背骨が湾曲していたとしても、当該分割枕が、その人間の頭部、首部または胴体部と椅子等との間の隙間を埋める補助具として作用する。その結果、その人間の頭部、首部または胴体部を安定化させることが可能となる。
【００１８】
以上の説明から明らかなように、この分割枕によれば、それの２部分同士の結合状態におけるレイアウトを変更することにより、そもそも枕を有しない椅子上において着座姿勢にある人間の頭部または首部を背後から支持する第１の機能と、そもそも枕を有するか否かを問わず、着座姿勢または仰臥姿勢にある人間の背中と椅子等との間の隙間を埋めてその人間の頭部、首部または胴体部を背後から支持する第２の機能とを選択的に果たすことが可能となる。すなわち、この分割枕は、１つの枕でありながら２つの機能を実現可能なのである。
【００１９】
さらに、この分割枕においては、上下方向レイアウトにおいては、少なくとも第１部分の一側面が上記第１の機能を果たす一方、前後方向レイアウトにおいては、第１部分の上面と第２部分の上面とが互いに共同して上記第２の機能を果たす。すなわち、この分割枕は、それの互いに異なる部位により２つの機能をそれぞれ果たすのである。
【００２０】
しかも、この分割枕においては、上下方向レイアウトにおいては、少なくとも第１部分の一側面が、それの法線方向において、上記第１の機能を果たす一方、前後方向レイアウトにおいては、第１部分の上面と第２部分の上面とが互いに共同して、それら両上面の法線方向において、上記第２の機能を果たす。すなわち、この分割枕は、互いに異なる方向において２つの機能をそれぞれ果たすのである。
【００２１】
本項における「結合手段」は、例えば、第１部分と第２部分とのそれぞれの結合部に予め装着された一対の結合具（例えば、雄側と雌側とを有する一対の面ファスナ）として構成したり、それら第１部分と第２部分とに随時装着されてそれら２部分を一緒に縛るベルトとして構成することが可能である。
【００２２】
また、本項における「上下方向レイアウト」と「前後方向レイアウト」とはいずれも、当該分割枕によって支持すべき人間が、背もたれが着座位置と仰臥位置とにリクライニング可能な形式の椅子（例えば、前述の理容椅子等）、ベッド等を使用している状態において、当該分割枕をその椅子等と共に使用することによって実現される。
【００２３】
ただし、「上下方向レイアウト」は、当該分割枕によって支持すべき人間が、そもそも枕を有しない椅子（車椅子を含む）を使用している状態において、当該分割枕をその椅子と共に使用することによって実現することが可能である。
【００２４】
これに対し、「前後方向レイアウト」は、当該分割枕によって支持すべき人間が、その人間を常に水平に支持するふとん、ベッド等に仰臥している状態において、当該分割枕をそのふとん等と共に使用することによって実現することが可能である。
【００２５】
すなわち、「上下方向レイアウト」と「前後方向レイアウト」は、同じ道具、器具等と共に当該分割枕を使用して実現することが不可欠ではないのである。
【００２６】
本項における「第１部分」と「第２部分」とはそれぞれ、内部を表皮によって被覆して構成し、かつ、その内部は、硬質または軟質の発泡ウレタン、スポンジ、発泡ラバー、多孔弾性体等、弾性の充填材によって構成したり、空気によって充填することが可能である。「各部分」の表皮は、「各部分」の内部を空気によって充填する場合には、気密性を有する素材により製作することが望ましい。
【００２７】
「各部分」の内部を空気によって充填する場合、「各部分」に対する空気の出し入れを可能にすれば、「各部分」の弾力性を調整したり、「各部分」の高さ（上下方向レイアウトを有する当該分割枕の高さ、または前後方向レイアウトを有する当該分割枕の高さ）を調整したり、当該分割枕から空気を抜いて縮めた状態で当該分割枕を持ち運んだり保管することが可能となる。
【００２８】
また、「各部分」の内部構成を「第１部分」と「第２部分」とで互いに異ならせることも可能である。
【００２９】
人間が移動手段として車椅子を利用する場合がある。この場合、その人間が理容行為、医療行為等を受けようとする場合には、従来、専用の椅子に移乗することが必要であった。
【００３０】
これに対し、本項に係る分割枕は、車椅子の背もたれの上部に着脱可能に取り付けて使用することが可能である。このようにすれば、移動手段として車椅子を利用する人間は、車椅子に座ったままで、しかも、姿勢を良好に安定化させられた状態で、理容行為、医療行為等を受けることが可能となる。
また、本項に係る分割枕の第１部分と第２部分との結合は、結合部同士の間に隙間を有しない状態で行うことも、連結部材等を用いることにより、隙間を有する状態で行うことも可能である。
また、本項に係る分割枕は、前後方向レイアウトにおいては、第１部分と第２部分とのうち、当該分割枕によって支持されるべき人間の頭部寄りに位置するものが第１部分である態様で使用したり、第２部分である態様で使用することが可能である。
【００３１】
（２）　前記第１部分が、
前記上下方向レイアウトと前後方向レイアウトとの双方において、前記第２部分と結合する前側面と、
前記上下方向レイアウトにおいて、着座姿勢にある人間の頭部または首部を背後から支持する後側面と
を含む（１）項に記載の分割枕。
【００３２】
この分割枕によれば、第１部分の前側面により、第２部分と結合する結合機能が果たされる一方、その第１部分の後側面により、着座姿勢にある人間の頭部または首部を背後から支持する支持機能が果たされる。
【００３３】
したがって、この分割枕によれば、第１部分の前側面と後側面とが結合機能と支持機能とのそれぞれの実現に効果的に利用される。
【００３４】
（３）　前記第１部分の後側面が、前記上下方向レイアウトと前後方向レイアウトとの双方において、その第１部分を真上から見た場合に、概して後向きの凹面を成す（２）項に記載の分割枕。
【００３５】
この分割枕においては、それの第１部分のうち、上下方向レイアウトにおいて人間の頭部または首部を背後から支持する部分である後側面が、その第１部分を真上から見た場合に、概して後向きの凹面を成す。
【００３６】
したがって、この分割枕によれば、その後側面が平らである場合に比較し、人間の頭部または首部を横方向（人体の左右方向）に支持する機能が向上する。
【００３７】
よって、この分割枕によれば、人間の頭部または首部の位置の安定化を、前後方向（人体の前後方向）においてのみならず、横方向（人体の左右方向）においても実現することが容易となる。
【００３８】
（４）　前記第１部分の前側面が、前記上下方向レイアウトと前後方向レイアウトとの双方において、その第１部分を真上から見た場合に、概して前向きの凸面を成す（３）項に記載の分割枕。
【００３９】
（５）　前記第１部分が、前記上下方向レイアウトと前後方向レイアウトとの双方において、その第１部分を真上から見た場合に、凹みを後位置に有する状態で概してＣ字状を成している（１）ないし（４）項のいずれかに記載の分割枕。
【００４０】
背骨が湾曲している人間を平面上で仰臥させると、その人間の背中の上部（両肩部）とその平面との間に概して円形状を成す隙間が存在する。したがって、その隙間を埋めるためには、概して円形状を成す補助具を背中と平面との間に挿入することが望ましい。
【００４１】
さらに、その補助具を前記第１部分によって実現するとともに、前記上下方向レイアウトにおいて、着座姿勢にある人間の頭部または首部を背後から支持するためには、その第１部分が、その人間の頭部または首部を背後から支持する凹みを後位置に有することが望ましい。
【００４２】
このような知見に基づき、本項における分割枕においては、第１部分が、それを真上から見た場合に、凹みを後位置に有する状態で概してＣ字状を成している。
【００４３】
したがって、この分割枕によれば、椅子等の上において着座姿勢または仰臥姿勢にある人間を背後から支持する場合に、その人間の背中と椅子等との間の隙間を、材料の無駄なく、かつ、その人間に苦痛を感じさせることなく、埋めることが容易となる。
【００４４】
本項における「Ｃ字状」は、例えば、丸みを帯びたＣ字状と、角張ったＣ字状との双方を含む。また、「Ｃ字状」は、例えば、三日月状として実現したり、凹多角形状として実現したり、部分円環状として実現したり、角張ったＣ字状として実現することが可能である。
【００４５】
（６）　前記第２部分が、前記上下方向レイアウトにおいてその第２部分の上側と下側と前側と後側とにそれぞれ位置する上面と下面と前側面と後側面とを有するとともに、前記上面のうち前記前側面の近傍部と前記後側面の近傍部とにそれぞれ、前記下面からの高さが高い高部と低い低部とが形成されている（１）ないし（５）項のいずれかに記載の分割枕。
【００４６】
この分割枕においては、それの第２部分の上面に、それの下面からの高さが高い高部と低い低部とが形成されている。
【００４７】
したがって、この分割枕によれば、第２部分の上面がそれの下面と平行でかつ平坦である場合に比較し、第１部分との結合位置の変更に伴う当該分割枕の全体形状の変化のバリエーションを容易に増加させ得る。
【００４８】
本項において「高部」は、例えば、略半円状の断面または略多角形状の断面で横方向に延びる形状を有するものとすることが可能である。
【００４９】
（７）　前記高部が、前記前後方向レイアウトにおいて、着座姿勢または仰臥姿勢にある人間の頭部または首部を背後から支持する（６）項に記載の分割枕。
【００５０】
（８）　前記高部が、前記低部と隣接し、かつ、その低部の表面に対して起き上がった表面を有する傾斜部を含み、
その傾斜部と前記低部とが互いに共同して、前記上下方向レイアウトにおいて、前記第１部分と結合する（６）または（７）項に記載の分割枕。
【００５１】
この分割枕によれば、それの第２部分の低部のみまたは高部のみで第１部分と結合する場合に比較し、それら第１部分と第２部分との機械的な結合力を容易に増加させ得る。
【００５２】
したがって、この分割枕によれば、上下方向レイアウトにおいて第１部分が人間から受ける力が大きいにもかかわらず第１部分と第２部分との結合状態を維持することが容易となる。
【００５３】
（９）　前記第２部分の後側面が、前記前後方向レイアウトにおいて、前記第１部分と結合する（６）ないし（８）項のいずれかに記載の分割枕。
【００５４】
（１０）　前記第１部分が、前記前後方向レイアウトにおいて、前記第２部分と結合する前側面を含み、かつ、その前側面が、前記第１部分を真上から見た場合に、概して前向きの凸面を成しており、
前記第２部分の後側面が、前記前後方向レイアウトにおいて、その第２部分を真上から見た場合に、概して後向きの凹面を成している（９）項に記載の分割枕。
【００５５】
この分割枕においては、第１部分と第２部分との結合が、前後方向レイアウトにおいて、凹面と凸面との組合せによって行われる。
【００５６】
したがって、この分割枕によれば、第１部分と第２部分との結合が平面同士の結合によって行われる場合に比較し、それら２部分同士が結合する領域の面積を容易に増加させ得、それら２部分同士の機械的な結合力を容易に増加させ得る。
【００５７】
（１１）　前記第１部分の上面および第２部分の上面が、前記前後方向レイアウトにおいてそれら両上面に共通に接する一つの接平面を基準にして、着座姿勢または仰臥姿勢にある人間の頭部、首部または胴体部を背後から支持する（１）ないし（９）項のいずれかに記載の分割枕。
【００５８】
（１２）　前記第２部分の前側面と後側面とがそれぞれ、前記前後方向レイアウトにおいて前記第１部分との結合部として機能し、それにより、前記前後方向レイアウトが、前記第１部分が前記第２部分の後側面に結合される第１バリエーションと、第１部分が第２部分の前側面に結合される第２バリエーションとを含み、かつ、前記前後方向レイアウトにおいて第１部分の上面と第２部分の上面とに共通に接する上側接平面の、第１部分の下面と第２部分の下面とに共通に接する下側接平面に対する傾斜角度が、前記第１バリエーションにおいて前記第２バリエーションにおけるより小さい（６）ないし（１１）項のいずれかに記載の分割枕。
【００５９】
この分割枕によれば、前後方向レイアウトのバリエーションが２つ存在する。そのうちの一方である第１バリエーションにおいては、第２部分がそれの後側面であって前記低部に近接する側面において第１部分と結合する。これに対し、第２バリエーションにおいては、第２部分がそれの前側面であって前記高部に近接する側面において第１部分と結合する。
【００６０】
そして、前後方向レイアウトにおいて第１部分の上面と第２部分の上面とに共通に接する上側接平面の、第１部分の下面と第２部分の下面とに共通に接する下側接平面に対する傾斜角度を、それら２つのバリエーション間において互いに比較すれば、第１バリエーションの方が第２バリエーションより小さい。ここに、「上側接平面」は、着座姿勢または仰臥姿勢にある人間を背後から支持する支持面を意味する。
【００６１】
したがって、この分割枕によれば、着座姿勢または仰臥姿勢にある人間を、水平面に対して小さい傾斜角で支持する状態と、大きい傾斜角で支持する状態とに適宜変更することが可能となる。
【００６２】
（１３）　前記第１部分の高さが、前記前後方向レイアウトにおいて、その第１部分の前側面から後側面に向かうにつれて減少する（１２）項に記載の分割枕。
【００６３】
この分割枕においては、第１部分の高さが、その第１部分の前側面（第２部分と結合する面）から後側面に向かうにつれて減少する形状を有するものとされている。
【００６４】
したがって、この分割枕によれば、第１部分の高さがそれの前後方向において一様である場合に比較し、前後方向レイアウトにおいて第１部分の上面と第２部分の上面とを互いに滑らかにつなぐことが容易となる。
【００６５】
（１４）　前記第１部分が、それの上面と下面とのいずれか一方において、それの表面から外向きに突出した突起部を含む（１）ないし（１３）項のいずれかに記載の分割枕。
【００６６】
この分割枕は、上下方向レイアウトにおいて、第１部分の上面と下面とのうち突起部が設けられた面が、着座姿勢または仰臥姿勢にある人間の首部または胴体部に背後から接触する態様で使用することが可能である。
【００６７】
そして、この態様においては、その突起部が人間に接触する位置において圧力が局部的に増加し、その結果、適度なマッサージ効果が実現される。
【００６８】
（１５）　前記第１部分の少なくとも一部であって前記突起部の周辺部を含むものが、弾性素材によって構成されている（１４）項に記載の分割枕。
【００６９】
この分割枕によれば、突起部の周辺部を構成する弾性素材の弾力性により、その突起部から人間に適度な圧力が付与される。
【００７０】
本項における「弾性素材」は、例えば、硬質または軟質の発泡ウレタンとすることが可能である。
【００７１】
（１６）前記突起部が、磁力を発生させる（１４）または（１５）項に記載の分割枕。
【００７２】
【発明の実施の形態】
以下、本発明のさらに具体的な実施の形態のいくつかを図面に基づいて詳細に説明する。
【００７３】
図１には、本発明の第１実施形態に従う分割枕の第１部分１０が平面図と側面図と正面図とでそれぞれ示され、図２には、その分割枕の第２部分１２が平面図と側面図と正面図とでそれぞれ示されている。
【００７４】
図１に示すように、第１部分１０は、それを真上から見た場合に三日月状を成している。したがって、第１部分１０の前側面１４は、第１部分１０を真上から見た場合に前向きの凸面を成し、一方、後側面１６は、第１部分１０を真上から見た場合に後向きの凹面を成している。この後側面１６が、第１部分１０を真上から見た場合に、その第１部分１０の後位置において凹みを形成している。さらに、第１部分１０は、概して円形状をなす断面で左右方向に延びている。
【００７５】
第１部分１０は、内部が布製の表皮により被覆されて構成されている。その内部は、発泡ウレタンで充填されていて、その発泡ウレタンの弾力により、第１部分１０の弾力が実現されている。
【００７６】
図２に示すように、第２部分１２は、概して直方体を成しており、上面２０と下面２２と前側面２４と後側面２６と右側面２８と左側面３０とを有している。上面２０には、前側面２４の近傍部において高部３２が形成される一方、後側面２６の近傍部において低部３４が形成されている。高部３２は、略半円状の断面で横方向に延びている。高部３２は、低部３４と隣接した位置にその低部３４の表面に対して起き上がった傾斜部３６を有している。
【００７７】
後側面２６には、第２部分１２を真上から見た場合に、後向きの凹面４０が形成されている。この凹面４０は、第１部分１０と第２部分１２との結合状態におけるレイアウトの一つである前後方向レイアウト（後に詳述する）であって、図２において実線と二点鎖線とで示すものにおいて、第１部分１０の前側面１４と結合する。それら凹面４０と前側面１４とは、実質的に互いに補完する形状を有していて、相互に凹凸結合する。
【００７８】
第２部分１２は、第１部分１０と同様に、内部が布製の表皮により被覆されて構成されている。その内部は、発泡ウレタンで充填されていて、その発泡ウレタンの弾力により、第２部分１２の弾力が実現されている。
【００７９】
図３には、第１部分１０と第２部分１２との結合状態におけるレイアウトの一つである上下方向レイアウトが正面図で示されている。この上下方向レイアウトにおいては、第１部分１０と第２部分１２とがそれらの順に上下に並んでいる。さらに、第１部分１０の前側面１４が、第２部分１２の低部３４と斜面部３６とに結合されている。この上下方向レイアウトにおいては、第１部分１０の後側面１６が、椅子上において着座姿勢にある人間の頭部または首部に背後から接触して支持する。
【００８０】
本実施形態においては、第１部分１０の前側面１４のうちの所定の領域（例えば、図１の（ｃ）において二点鎖線で示す領域）と、第２部分１２の低部３４と傾斜部３６とに跨る領域のうちの所定の領域（例えば、図２の（ａ）において二点鎖線で示す領域）とにそれぞれ、結合手段としての一対の面ファスナが予め縫い付けられている。それら一対の面ファスナにより、それら第１部分１０と第２部分１２とが着脱可能に互いに結合される。
【００８１】
図４には、上下方向レイアウトを有する分割枕が車椅子５０と共に使用される一例が示されている。この使用例においては、車椅子５０の背もたれ５２の上部から後方に延びる一対のハンドル５４，５４を利用して分割枕が使用される。その一対のハンドル５４，５４間には隙間が存在するが、その隙間が、その一対のハンドル５４，５４に取付板５６がそれらを跨いで取り付けられることによって埋められる。その取付板５６上に分割枕が、その取付板５６の上面と第２部分１２の下面２２とが互いに接触する状態で、固定される。その固定は、例えば、分割枕と取付板５６とをベルトで巻いて縛り付け、それにより、分割枕を取付板５６に固定することによって行われる。
【００８２】
本実施形態に従う分割枕は、車椅子５０に分離可能に装着されるため、必要な場合に限って車椅子５０に装着すればよい。また、この分割枕は、車椅子５０の種々のバリエーションに適合可能であるため、汎用性が高い。
【００８３】
これに対し、図５には、前記前後方向レイアウトが正面図で示されている。本実施形態においては、前後方向レイアウトが、第１バリエーションと第２バリエーションとを有している。同図の（ａ）は、第１バリエーションを示しており、第１部分１０の前側面１４と第２部分１２の後側面２６とが互いに結合される。これに対し、同図の（ｂ）には、第２バリエーションが示されていて、第１部分１０の前側面１４と第２部分１２の前側面２４とが互いに結合される。同図の（ａ）および（ｂ）のそれぞれにおいて二点鎖線は、第１部分１０の上面６０と第２部分１２の上面２０とに共通の接平面を示している。
【００８４】
第２部分１２の後側面２６のうち、第１バリエーション実現のために第１部分１０の前側面１４と結合すべき領域（例えば、図２の（ｃ）において二点鎖線で示す領域）には、面ファスナが予め装着されている。同様にして、第２部分１２の前側面２４のうち、第２バリエーション実現のために第１部分１０の前側面１４と結合すべき領域（例えば、図２の（ｃ）において二点鎖線で示す領域）にも、面ファスナが予め装着されている。各面ファスナは、第１部分１０の前側面１４に予め装着された面ファスナと着脱可能に結合される。
【００８５】
それら２つのバリエーションのいずれにおいても、第１部分１０の上面６０と第２部分１２の上面２０とが互いに共同して、前記理容椅子等の椅子７０の上において仰臥姿勢にある人間の頭部、首部または胴体部に背後から接触して支持する。そして、この前後方向レイレイアウトにおいては、図６に示すように、椅子７０の上において仰臥姿勢にある人間の背骨が湾曲しているため、その背中と椅子７０の背もたれ７２との間に隙間があれば、その隙間を埋める補助具としてこの分割枕が使用される。
【００８６】
この前後方向レイアウトのいずれのバリエーションにおいても、第１部分１０の上面７０と第２部分１２の上面２０とに共通に接する接平面を基準にして、仰臥姿勢にある人間を支持するのであるが、図５に示すように、その接平面の、それら第１部分１０の下面７４と第２部分１２の下面２２とに共通に接する接平面に対する傾斜角度が、第１バリエーションの方が第２バリエーションより小さい。
【００８７】
したがって、この分割枕によれば、椅子７０の上において仰臥姿勢にある人間の背中と椅子７０の背もたれ７２との間に隙間がある場合に、その隙間の大きさに適合するバリエーションを選択することにより、仰臥姿勢にある人間の体を安定化させることが可能となる。なお、図６には、前後方向レイアウトを有する分割枕を椅子７０と共に使用する一例として、図５の（ａ）に示す第１バリエーションを選択してこの分割枕を使用する場合が示されている。図６において二点鎖線は、分割枕によって支持される人間の背骨の曲がりを概念的に表しており、このことは図７および図８においても同様である。
【００８８】
前後方向レイアウトを有する分割枕の椅子７０への取付けは、上下方向レイアウトを有する分割枕の車椅子５０への取付けに準じて行うことが可能である。例えば、椅子７０が背もたれ７２とヘッドレスト７６とを有し、かつ、それら背もたれ７２とヘッドレスト７６との間にベルトが通過し得る隙間が存在する場合には、その隙間を利用して、ベルトで分割枕とヘッドレスト７６とを巻いて縛り付けることにより、分割枕をヘッドレスト７６に固定することが可能である。
【００８９】
前後方向レイアウトを有する分割枕は、図７に示すように、背もたれ７２が着座位置にある椅子７０と共に使用することも可能である。すなわち、本実施形態に従う分割枕は、前後方向レイアウトにおいて、仰臥姿勢にある人間の頭部、首部または胴体部を背後から支持する機能のみならず、着座姿勢にある人間の頭部、首部または胴体部を背後から支持する機能も果たすのである。
【００９０】
なお付言すれば、この分割枕は、それの第１部分１０と第２部分１２とが互いに分離した状態において、椅子７０の上の人間を背後から支持する機能を果たすことが可能である。図８には、その一例として、その分離状態にある分割枕が、椅子７０の上において着座姿勢にある人間を背後から支持する機能を果たす場合が示されている。
【００９１】
この例においては、着座姿勢にある人間の背骨が湾曲していれば、その湾曲の程度に応じて第１部分１０と第２部分１２との距離を調整することが可能である。さらに、この例においては、第１部分１０の前側面１４（凹面）と第２部分１２の凹面４０とが隙間を隔てて互いに対向し、それら一対の凹面が互いに共同して、概して円形を成す隙間を形成する。この隙間により、背中の湾曲部を吸収することが可能である。
【００９２】
次に、本発明の第２実施形態に従う分割枕を説明する。ただし、本実施形態は、第１実施形態と第１部分１０の形状に関してのみ異なり、第２部分１２の形状および第１部分１０と第２部分１２との結合態様に関しては第１実施形態と共通するため、第１部分１０の形状のみを詳細に説明する。
【００９３】
図９には、本実施形態に従う分割枕が、図１と同様にして、平面図と側面図とでそれぞれ示されている。この分割枕は、第１部分１０の上面６０に突起部１００が設けられている点で、第１実施形態に従う分割枕とは異なるが、それ以外の点では互いに共通する。
【００９４】
本実施形態に従う分割枕は、第１実施形態に従う分割枕と同様に、充填材１０２としての発泡ウレタンが表皮によって被覆されることによって構成されている。ただし、本実施形態においては、充填材１０２の上面に半球状の凹部１０４が２個、左右方向に隙間を隔てて形成されている。それら２個の凹部１０４に、それと半径が略等しい２個のボール１０８がそれぞれ挿入される。その結果、各ボール１０８はそれの半分だけ、充填材１０２の表面から外向きに突出される。各凹部１０４内に挿入された各ボール１０８は、充填材１０２の弾力により、その充填材１０２の表面と交差する方向に弾性的に変位可能となっている。さらに、各ボール１０８は、磁石を有しており、その磁石により磁力を発生させる。
【００９５】
本実施形態においては、それら２個のボール１０８と充填材１０２とが一緒に表皮によって被覆され、その結果、その表皮が、それら２個のボール１０８との接触により、それの２箇所において局部的に突出させられる。これにより、２個の突起部１００が形成されているのである。
【００９６】
図１０には、本実施形態に従う分割枕が、前後方向レイアウトにおいて、背もたれ７２が着座位置にある椅子７０と共に使用される一例が示されている。この使用例においては、椅子７０に着座する人間の背中に第１部分１０の上面６０が接触させられ、同時に、２個の突起部１００によりその人間の背中が局部的に加圧される。この加圧の大きさは、充填材１０２の弾力に依存する。この加圧により、マッサージ効果が得られる。
【００９７】
以上、本発明のいくつかの実施形態を図面に基づいて詳細に説明したが、これらは例示であり、前記［課題を解決するための手段および発明の効果］の欄に記載の態様を始めとして、当業者の知識に基づいて種々の変形、改良を施した他の形態で本発明を実施することが可能である。
【図面の簡単な説明】
【図１】本発明の第１実施形態に従う分割枕の第１部分１０を示す平面図、側面図および正面図である。
【図２】第１実施形態に従う分割枕の第２部分１２を示す平面図、側面図および正面図である。
【図３】第１実施形態に従う分割枕の上下方向レイアウトを示す側面図である。
【図４】その上下方向レイアウトを有する分割枕の一使用例を示す側面図および背面図である。
【図５】第１実施形態に従う分割枕の前後方向レイアウトにつき、第１バリエーションと第２バリエーションとを示す側面図である。
【図６】その前後方向レイアウトを有する分割枕の一使用例を示す側面図である。
【図７】その前後方向レイアウトを有する分割枕の別の使用例を示す側面図である。
【図８】第１実施形態に従う分割枕のさらに別の使用例を示す側面図である。
【図９】本発明の第２実施形態に従う分割枕の第１部分１０を示す平面図および側面図である。
【図１０】第２実施形態に従う分割枕の一使用例を示す斜視図である。
【符号の説明】
１０　第１部分
１２　第２部分
１４　前側面
１６　後側面
２０　上面
２２　下面
２４　前側面
２６　後側面
３２　高部
３４　低部
３６　傾斜部
４０　凹面
６０　上面
７４　下面
【図１】
2004081487.tif 000003
【図２】
2004081487.tif 000004
【図３】
2004081487.tif 000005
【図４】
2004081487.tif 000006
【図５】
2004081487.tif 000007
【図６】
2004081487.tif 000008
【図７】
2004081487.tif 000009
【図８】
2004081487.tif 000010
【図９】
2004081487.tif 000011
【図１０】
2004081487.tif 000012
【手続補正書】
【提出日】平成15年1月10日(2003.1.10)
【手続補正１】
【補正対象書類名】明細書
【補正対象項目名】特許請求の範囲
【補正方法】変更
【補正の内容】
【特許請求の範囲】
【請求項１】
第１部分と第２部分とに分割されるとともに、それら第１部分と第２部分とが結合手段によって互いに結合する状態と互いに分離する状態とに切り換わる分割枕であって、
前記第１部分と第２部分との結合状態におけるレイアウトが、それら第１部分と第２部分とがそれらの順に上下に重なる上下方向レイアウトと、第２部分と第１部分とがそれらの順に前後に並ぶ前後方向レイアウトとに変更可能であり、かつ、
前記上下方向レイアウトにおいては、そもそも枕を有しない椅子の背もたれの上部に前記第１部分および第２部分がそれらの順に上下に重なって配置された状態で、その椅子上において着座姿勢にある人間の頭部または首部を背後から支持する第１の機能を少なくとも前記第１部分の後側面がそれの法線方向において果たし、一方、
前記前後方向レイアウトにおいては、着座姿勢または仰臥姿勢にある人間の頭部、首部または胴体部と椅子、ふとん、ベッドまたは床との間の隙間を埋めてその人間の頭部、首部または胴体部を背後から支持する第２の機能を前記第１部分の上面と前記第２部分の上面とが互いに共同してそれら両上面の法線方向において果たす分割枕。
【請求項２】
前記第１部分が、前記上下方向レイアウトと前後方向レイアウトとの双方において、その第１部分を真上から見た場合に、凹みを後位置に有する状態で概してＣ字状を成している請求項１に記載の分割枕。
【請求項３】
前記第２部分が、前記上下方向レイアウトにおいてその第２部分の上側と下側と前側と後側とにそれぞれ位置する上面と下面と前側面と後側面とを有するとともに、前記上面のうち前記前側面の近傍部と前記後側面の近傍部とにそれぞれ、前記下面からの高さが高い高部と低い低部とが形成されている請求項１または２に記載の分割枕。
【請求項４】
前記高部が、前記低部と隣接し、かつ、その低部の表面に対して起き上がった表面を有する傾斜部を含み、
その傾斜部と前記低部とが互いに共同して、前記上下方向レイアウトにおいて、前記第１部分と結合する請求項３に記載の分割枕。
【請求項５】
前記第２部分の前側面と後側面とがそれぞれ、前記前後方向レイアウトにおいて前記第１部分との結合部として機能し、それにより、前記前後方向レイアウトが、前記第１部分が前記第２部分の後側面に結合される第１バリエーションと、第１部分が第２部分の前側面に結合される第２バリエーションとを含み、かつ、前記前後方向レイアウトにおいて第１部分の上面と第２部分の上面とに共通に接する上側接平面の、第１部分の下面と第２部分の下面とに共通に接する下側接平面に対する傾斜角度が、前記第１バリエーションにおいて前記第２バリエーションにおけるより小さい請求項３または４に記載の分割枕。